【手続補正書】
【提出日】平成27年9月1日(2015.9.1)
【手続補正１】
【補正対象書類名】特許請求の範囲
【補正対象項目名】全文
【補正方法】変更
【補正の内容】
【特許請求の範囲】
【請求項１】
窓サッシにスライド自在に嵌め入れられる引き違い戸を構成する枠組みパネル体(3)において、底壁(10)と両側壁(6,6)によりパネル(2)の縁部(2a)を挿入する溝部(5)を形成した合成樹脂製の型材から成り、矩形状のパネル(2)の周縁に添設することにより枠組みパネル体(3)を形成する枠部材(1)であり、
前記枠部材(1)は、前記両側壁(6,6)及び底壁(10)と、前記両側壁から底壁を超えて延設された延長壁(6a,6a)の延長端を外側底壁(11)により連結した筒状の補強部(7a)を硬質合成樹脂により一体成形し、前記補強部(7a)を窓サッシにスライド自在に嵌め入れられるように構成し、
前記溝部(5)の開口縁に位置する前記両側壁(6,6)の頂面から相互に対向して突出する一対のシールリップ(8,8)と、前記開口縁から離間した溝部(5)の内部に位置して前記両側壁(6,6)から相互に対向して突出する一対の係着リップ(9,9)を軟質合成樹脂により前記枠部材に一体成形しており、
前記一対のシールリップ(8,8)は、前記両側壁(6,6)に直交する水平姿勢を原形姿勢として保持すると共に、先端相互の間隔Ｗ１をパネル(2)の厚さＴに対してＴ≧Ｗ１となるように形成し、
前記一対の係着リップ(9,9)は、前記両側壁(6,6)の内側面からパネルの挿入方向(F)に向けて角度θ１で傾斜する傾斜姿勢を原形姿勢として保持すると共に、先端相互の間隔Ｗ２を前記Ｗ１に対してＷ１＞Ｗ２となるように形成して成ることを特徴とする合成樹脂製パネル用枠部材。
【請求項２】
前記溝部(5)の内部で両側壁(6,6)から相互に対向して突出する一対のリブ(12,12)を設け、該リブを硬質合成樹脂により前記両側壁と一体成形しており、前記一対のリブの先端相互の間隔Ｗ３をパネル(2)の厚さＴに対してＷ３＞Ｔとなるように形成して成ることを特徴とする請求項１に記載の合成樹脂製パネル用枠部材。
【手続補正２】
【補正対象書類名】明細書
【補正対象項目名】００１０
【補正方法】変更
【補正の内容】
【００１０】
本発明は、窓サッシにスライド自在に嵌め入れられる引き違い戸を構成する枠組みパネル体に関して、合成樹脂製の型材から成る枠部材をパネルの周縁に添設する場合、単にパネルの縁部を枠部材の溝部に挿入するだけで、簡単に枠部材とパネルを正しい位置に固定することができ、しかも、相互に強固に一体化可能とした合成樹脂製パネル用枠部材を提供するものである。
【手続補正３】
【補正対象書類名】明細書
【補正対象項目名】００１１
【補正方法】変更
【補正の内容】
【００１１】
そこで、本発明が手段として構成したところは、窓サッシにスライド自在に嵌め入れられる引き違い戸を構成する枠組みパネル体において、底壁と両側壁によりパネルの縁部を挿入する溝部を形成した合成樹脂製の型材から成り、矩形状のパネルの周縁に添設することにより枠組みパネル体を形成する枠部材であり、前記枠部材は、前記両側壁及び底壁と、前記両側壁から底壁を超えて延設された延長壁の延長端を外側底壁により連結した筒状の補強部を硬質合成樹脂により一体成形し、前記補強部を窓サッシにスライド自在に嵌め入れられるように構成し、前記溝部の開口縁に位置する前記両側壁の頂面から相互に対向して突出する一対のシールリップと、前記開口縁から離間した溝部の内部に位置して前記両側壁から相互に対向して突出する一対の係着リップを軟質合成樹脂により前記枠部材に一体成形しており、前記一対のシールリップは、前記両側壁に直交する水平姿勢を原形姿勢として保持すると共に、先端相互の間隔Ｗ１をパネルの厚さＴに対してＴ≧Ｗ１となるように形成し、前記一対の係着リップは、前記両側壁の内側面からパネルの挿入方向Ｆに向けて角度θ１で傾斜する傾斜姿勢を原形姿勢として保持すると共に、先端相互の間隔Ｗ２を前記Ｗ１に対してＷ１＞Ｗ２となるように形成して成る点にある。
【手続補正４】
【補正対象書類名】明細書
【補正対象項目名】００１２
【補正方法】変更
【補正の内容】
【００１２】
本発明の好ましい実施形態は、前記溝部の内部で両側壁から相互に対向して突出する一対のリブを設け、該リブを硬質合成樹脂により前記両側壁と一体成形しており、前記一対のリブの先端相互の間隔Ｗ３をパネルの厚さＴに対してＷ３＞Ｔとなるように形成している。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
本発明によれば、枠部材１は、溝部５にパネル２の縁部２ａを挿入するだけで、該枠部材１とパネル２を所望の位置に固定することができ、しかも、相互に一体的に強固に固定することが可能であり、工具等を必要とせず、簡単に、パネル２の周縁に合成樹脂製の枠部材１を周設した枠組みパネル体３を形成することができ、窓サッシにスライド自在に嵌め入れられる引き違い戸として好適に使用できる枠組みパネル体３が提供されるという効果がある。
この際、合成樹脂製の枠部材１は、溝部５を形成する両側壁６、６から底壁１０を超えて延設された延長壁６ａ、６ａの延長端を外側底壁１１により連結した筒状の補強部７ａを硬質合成樹脂により一体成形しており、更に好ましくは請求項２に記載のように、溝部５の内部で両側壁６、６から相互に対向して突出する一対のリブ１２、１２を硬質合成樹脂により一体成形しているので、枠部材１が長尺であるにもかかわらず、変形や歪のない枠組みパネル体３を提供することが可能になる。特に、変形や歪のない前記補強部７ａが窓サッシに嵌め入れられたスライド部分を構成するので、引き違い戸のスライド状態が良好である。
そして、本発明は、パネル２の縁部２ａを溝部５の内部に保持するために、開口縁に位置する両側壁６、６の頂面から水平に延びるシールリップ８、８と、溝部５の内部で両側壁６、６から挿入方向Ｆに向けて角度θ１で傾斜する係着リップ９、９を軟質合成樹脂により一体成形し、シールリップ８、８の先端相互の間隔Ｗ１と、係着リップ９、９の先端相互の間隔Ｗ２と、パネル２の厚さＴを、Ｔ≧Ｗ１＞Ｗ２となるように形成しており、シールリップ８、８と係着リップ９、９によりそれぞれの役割を分担させている。
即ち、係着リップ９、９は、間隔Ｗ２を小さく形成されているので、パネル２の縁部２ａの挟着力が優れており、その反面、挿入方向Ｆに傾斜姿勢とされているので、前記縁部２ａの挿入が容易であると共にパネル２の引き抜き抵抗に優れている。この際、縁部２ａを挿入した状態において、係着リップ９、９は挿入方向Ｆに向けて更に傾斜した変形状態とされるが、溝部５の内部に位置しているので、該変形状態が枠部材１の外部から視認される不都合はない。
これに対して、シールリップ８、８は、枠部材１の外部に露出しており、視認可能であると共に塵芥等が積りやすいが、水平姿勢とされているので、この点に関する問題を提起することはない。そして、間隔Ｗ１を比較的大きく形成されているので、パネル２の縁部２ａを挿入した状態でも、若干変形することはあっても、前記係着リップ９、９のように大きく傾斜した変形姿勢を露呈することはなく、両側壁６、６の頂面からほぼ水平とされた姿勢を保持できるという利点がある。
【手続補正９】
【補正対象書類名】明細書
【補正対象項目名】００２１
【補正方法】変更
【補正の内容】
【００２１】
パネル２は、ガラスパネル、その他のパネルでも良いが、図例では、中空二重シートから成る防音性及び断熱性に優れた透明又は半透明の合成樹脂製のパネルを示している。このような中空二重シートから成る合成樹脂製のパネル２は、軽量で、しかも、防音性及び断熱性に優れているので、枠部材１を添設した枠組みパネル体３は、内窓装置の窓用引き違い戸等の窓パネル３ａとして好適に使用できる。
【手続補正１０】
【補正対象書類名】明細書
【補正対象項目名】００３４
【補正方法】変更
【補正の内容】
【００３４】
シールリップ８、８を軟質合成樹脂により成形し、間隔Ｗ１をＴ＞Ｗ１に形成した本発明の場合、図４に示すように、シールリップ８、８も同様にパネル２の挿入に追従して若干変形し、パネル２を中心線Ｃに沿って保持するセンタリング機能を分担するが、係着リップ９、９のように傾斜することはなく、図示のように、依然として、ほぼ水平姿勢を保持している。
【手続補正１１】
【補正対象書類名】明細書
【補正対象項目名】００４０
【補正方法】削除
【補正の内容】